(57)【特許請求の範囲】
【請求項１】
ネイティブジェランガム及び水を含有するゲル状保冷性組成物からなる、被着体に貼付して用いられるシート状冷却剤。
【請求項２】
上記ゲル状保冷性組成物が、更にプロピレングリコール、グリセリン、糖アルコール及び糖類からなる群から選択されるいずれか少なくとも一種を含有するものである、請求項１記載のシート状冷却剤。
【請求項３】
ネイティブジェランガム及び水を含有するゲル状保冷性組成物が支持体に積層されてなる、請求項１記載のシート状冷却剤。
【請求項４】
ネイティブジェランガム及び水を含有するゲル状保冷性組成物を乾燥することによって調製される組成物。
【発明の詳細な説明】
【０００１】
【発明の属する技術分野】
本発明は保冷性組成物に関する。
【０００２】
より詳細には、本発明はネイティブジェランガム及び水を必須成分として含有してなる保冷性組成物、該保冷性組成物を乾燥処理して得られる組成物、及びそれらを用いた冷却剤に関する。
【０００３】
【従来の技術】
保冷剤、蓄冷剤としては、例えば、特開平６−１２２８７１号、特開平３−１２６７８６号、特開昭５６−４５９７７号記載のものが知られている。
【０００４】
【発明が解決しようとする課題】
本発明は、保冷性・蓄冷性を有するとともにそれ自体が粘着性を有しており使用勝手がよく、かつ適度な透湿性を有する保冷性組成物を提供することを目的とする。当該組成物は、人体に対して副作用がなく安全に適用できるとともに、シート状物を直接皮膚等の被着体に貼付した場合でも該被着体に残渣を残すことなく剥離することができる点で、幅広い応用が期待できる。とりわけ、人体に対する使用感に優れ、使用後の処理も容易で、再利用のできる保冷性組成物を提供することを目的とする。
【０００５】
また、本発明は上記保冷性組成物を簡便にかつ速やかに調製できる組成物を提供することを目的とする。
【０００６】
更に、本発明は上記保冷性組成物の性質に基づいて、該組成物を用いた冷却剤を提供することを目的とする。
【０００７】
【課題を解決するための手段】
本発明者らは、上記課題を解決すべく鋭意研究を重ねていたところ、ネイティブジェランガムを水に溶解して調製される組成物が室温より常に４〜６℃程度低い温度を保っており、保冷・冷却作用があることを見出した。そして、更に有利なことに、該組成物のゲル状物が自己保形性、抱水性、透湿性、粘着性、剥離良好性等を有していることを確認して本発明を完成するに至った。
【０００８】
即ち、本発明は、ネイティブジェランガム及び水を必須成分とし、更にプロピレングリコール等を含んでいてもよい保冷性組成物、好ましくゲル状組成物である。
【０００９】
また本発明は、上記保冷性組成物を乾燥することによって調製される組成物である。当該発明は、一旦調製されたゲル状保冷性組成物を乾燥処理し得られた乾燥物に再度水分を含浸させると早期に再現性よく元のゲル状保冷性組成物に戻るという知見に基づくものである。即ち、当該組成物は、冷却作用のあるゲル状保冷性組成物を簡便かつ速やかに調製できる点で有用な組成物である。
【００１０】
更に本発明は、前記保冷性組成物又は組成物を含むことを特徴とする冷却剤である。なお、当該冷却剤は前記組成物が支持体層に積層されてなるものであってもよい。
【００１１】
【発明の実施の形態】
本発明に係る保冷性組成物は、ネイティブジェランガム及び水を必須成分として含有することを特徴とするものである。なお、本発明で「保冷性」とは、そのもの自体が外気温よりも低い温度を維持する性質をいう。
【００１２】
本発明に使用されるネイティブジェランガムは、グルコース２分子、グルクロン酸１分子及びラムノース１分子を構成単位とする多糖類（分子量約６０〜７０万）であるジェランガム（特開昭５５−７９３９７号）の脱アシル処理前の前駆体として得られる微生物起源の高分子多糖類（融点及び固化点：６５〜７０℃）である。
【００１３】
当該ネイティブジェランガムは、一般に微生物の培養によって生産される。
【００１４】
具体的には、シュードモナス・エロデア（Pseudomonas elodea:ＡＴＣＣ３１４６１）又はそれと同等の菌株をグルコース３％、ＫＨ4ＮＯ3  ０．０５％、ＭｇＳＯ4・７Ｈ2Ｏ  ０．０１％、ＮＨ4ＮＯ3  ０．０９％及び窒素源として有機成分を少量含む液体培地に接種し、これを好気的条件下で３０℃程度、約５０時間の培養して得られる培養物から菌体表面に生産された粘質物を、脱アシル処理することなくそのまま単離・回収することによって製造する方法が例示される。
【００１５】
ネイティブジェランガムは天然に起源を有するものであるため、用いる産生微生物や精製条件によっては、その構造も微妙に変わりうる。従って、本発明で用いられるネイティブジェランガムは、特定の構造式に基づいて一義的に限定されることなく、上記方法に従って微生物（ＡＴＣＣ３１４６１）により産生されるネイティブジェランガムの性質を有するものであればよい。
【００１６】
本発明の保冷性組成物は、基本的には上記ネイティブジェランガムを水に溶解して加温撹拌して均質化し、次いで冷却することによって調製できるが、必要に応じて加温撹拌後にプロピレングリコール、グリセリン、糖アルコール又は糖類等を添加・配合してもよい。特に乾燥による形状の歪みを防止する点からはプロピレングリコールを配合するのが好ましい。
【００１７】
糖アルコールとしては、特に制限はないが、具体的にはマンニット、エリトリット、ペンテットが例示される。また糖類も特に制限されないが、具体的にはブドウ糖、果糖等の単糖、ショ糖、トレハロース等の２糖類、デンプン等の多糖類が例示される。
【００１８】
本発明の保冷性組成物は、その形状は特に制限されず、調製に用いる液性成分量（水やプロピレングリコール等の液状成分を含む）に応じてゲル状、ゾル状、とすることができる。
【００１９】
例えば、ゲル状保冷性組成物を調製する場合は、粉末状のネイティブジェランガム０．５〜４重量部、好ましくは１〜４重量部を水に溶解して１００重量部とする方法、またはプロピレングリコール等を配合する場合は、上記量のネイティブジェランガムを水１０〜７９重量部に溶解し、次いで２０〜５０重量部のプロピレングリコール等を配合して、全量を１００重量部に調製する方法等が例示される。
【００２０】
このようにして調製された保冷性組成物は、それ自身の放湿性ゆえに開放系に放置しておけば徐々に水分含量を減少させていくが、本発明の保冷性組成物には、保冷性を有することを限度としてかかる水分含量の低下した組成物も含まれる。
【００２１】
なお、通常組成物を直接肌にあてて冷感・涼感を感じることができる水分含量は組成物１００重量％に対して２０重量％である。
【００２２】
なお、プロピレングリコール等を配合する場合、その配合量は特に制限されず、１００重量部当たり２０〜５０重量部の範囲から適宜選択されるが、それを配合する分だけ保冷性組成物に含め得る水含量が減少することに鑑みれば、好ましくは組成物の保冷効果に影響を与えない範囲である。
【００２３】
本発明の保冷性組成物のうちゲル状組成物は、放湿性、吸熱性及び安全性に加えて、抱水性・抱水安定性、自己保形性、吸水性、熱安定性・耐凍性及び粘着性といった特有な性質を有しているため、特に有用である。
【００２４】
「飽水性・飽水安定性」とは、内部に水を安定的に含みかつ圧縮しても含有水分を滲出しないという性質をいい、本発明のゲル状組成物はネイティブジェランガムに対し重量比で最大２００倍量程度の水を安定的に包含することができる。
【００２５】
「自己保形性」とは、流動性や崩壊性を生じず形状を保持する性質をいい、本発明のゲル状組成物は、内部に上記のように比較的大量の水を含有していても優れた自己保形成を有している。
【００２６】
さらに本発明のゲル状組成物は、上記含水率を限度として、大量の水を含有した状態でも新たに水分と接触すると膨潤して、自己保形性を備えながらさらに水分を吸収する「吸水性」を有している。
【００２７】
また本発明のゲル状組成物は「熱安定性及び耐凍性」を有しており、密封容器に入れて５０℃の恒温槽中、少なくとも２週間貯蔵後も離水現象の結果として生じる著しい水分の滲出は見られず原型を保持しており、また−１８℃下で２４時間冷凍放置してもゲル特有の弾性を維持し、また密封容器に入れて−１８℃下で少なくとも２週間冷凍貯蔵後も離水がほとんど認められない。このことは、本発明のゲル組成物が、密封した状態での常温流通に十分耐えれること、及び冷凍・冷却使用、冷凍保存が可能であることを示すものである。
【００２８】
さらに、本発明のゲル状組成物はそれ自体で「粘着性」を有しているため被験体にそのまま粘着・貼付でき、加えて、剥がす際の剥がし残りが生じない点で有用である。
【００２９】
なお、ゲル状物に限らず本発明の保冷性組成物は、経時的に組成物表面から含有水分を徐々に蒸発させる放湿性を有している。かかる水分蒸発は組成物から蒸発潜熱を奪い、このため組成物は常に室温より低い温度に保たれる。この結果、本発明の保冷性組成物は吸熱効果、冷却効果を有する。
【００３０】
また、本発明の保冷性組成物は適度な透湿性を有しており、この性質は人体に適用した場合に潤いを与えて保湿性の面で有用である一方、付着部位が蒸れたり、かぶれや発疹を生じさせないという点でも有用である。
【００３１】
さらに本発明の保冷性組成物は、内用も可能なネイティブジェランガムを主成分とするため、安全に皮膚に直接貼付使用ができる。
【００３２】
また、前記保冷性組成物は乾燥処理することによりコンパクトに小さくなり、また再び水を含浸させることにより速やかに、再現性良く元のゲル状保冷性組成物に戻る特性を有している。
【００３３】
本発明はかかる乾燥組成物、すなわち前述の保冷性組成物を乾燥処理してなる組成物に関する。
【００３４】
当該組成物はそれ自体保冷性はないが、水分を速やかに含浸して保冷性を発揮するものである。これは、通常は乾燥状態で容積が小さいため簡便に持ち運び・取り扱いができ、またコンパクトで保存の場所も取らず、また必要な時には水の浸すだけで速やかに保冷性組成物、冷却剤として調製できる点で有用である。
【００３５】
なお、乾燥処理は特に制限されず、常法に従うことができるが、具体的には、加熱処理等が例示される。なお、乾燥処理の程度は特に制限されないが、水を殆ど含まない程度まで乾燥処理するのが好ましい。
【００３６】
乾燥に用いられる保冷性組成物は、前述の保冷性組成物であれば特に制限されないが、好ましくはネイティブジェランガム及び水に加えて、プロピレングリコール、グリセリン、糖アルコール又は糖類のいずれか少なくとも一種を含有するものであり、より好ましくはネイティブジェランガム、水及びプロピレングリコールを有するものである。プロピレングリコール等を含有することによって、乾燥による形状の歪みを防止することができる。
【００３７】
また本発明は、上記保冷性組成物の特性に基づいて、当該組成物又は上記乾燥組成物を含有する冷却剤を提供する。
【００３８】
本発明でいう冷却剤とは、冷却もしくは保冷を目的もしくは効果の一つとして用いられるものであれば特に限定されず、例えば冷却・保冷を主目的として使用される冷却剤、保冷剤のみならず、冷却・保冷効果を副次的効果として用いる湿布剤、パップ剤、美容パック等も広く包含するものである。
【００３９】
本発明の冷却剤はその形態によって特に制限されず、被冷却対象物に応じて種々の形態を有することができる。
【００４０】
例えば、
(i) 前述のゲル状保冷性組成物そのものであって、好ましくはシート状の形態を有するもの、
(ii)支持体層の上に前述のゲル状組成物が積層されてなる形態を有するもの、
(iii)前述の保冷性組成物がビニール製の袋、防湿アルミ袋等の密封容器・袋に封入されてなる形態を有するもの
等の形態が例示されるが、これらに限定されるものではない。なお、組成物は保冷性組成物を乾燥処理して得られる乾燥組成物であってもよい。かかる乾燥組成物は水に浸漬することにより、容易に冷却剤としての効果を奏する。
【００４１】
また、(iii)で用いられる保冷性組成物は、ゲル状、ゾル状、液体状のいずれであってもよい。
【００４２】
(i)又は(ii)の形態を有する冷却剤としては、冷却、ひんやり感の付与又は火照りの抑制等を主目的に人体に適用されるシート状冷却・保冷剤、医薬効果をも期待して適用される湿布剤，パップ剤、美容効果をも期待して適用される美容パック等の用途が例示される。
この場合、用いられるゲル状組成物には、塩化ベンゼトニウム、塩化ベンザルコニウム、セチルピリジニウムクロライド、グルコン酸クロルヘキシジン、ビオゾール等の殺菌剤、ｌ−メントール等の香料、着色料等が配合されていてもよい。
【００４３】
また、医薬用途で使用される冷却剤の場合は、その他塩酸ジブカイン、塩酸ピロカイン、ベンゾカイン、リドカイン等の局所麻酔剤、コーチゾン、プレドニゾロン、ベタメサゾン等の抗炎症剤、アレイン酸クロルフェニラミン、塩酸ジフェンヒドラミン、グアイアズレンスルホン酸ナトリウム等の抗ヒスタミン剤、塩酸ナフアゾリン、塩酸エフアドリン等の止血剤、アロエ、イクタモール、ヒノキチオール、グリチルリチン酸、尿素等の創傷治療剤等、各医薬用途に応じて種々の医薬有効成分を含有していてもよい。
【００４４】
また、美容をも目的とする冷却剤の場合は、通常化粧料に用いられる保湿剤（例えば、ポリエチレングリコール類、ポリプロピレングリコール類、グリセリン類、単糖類、多糖類等）、エモリエント成分（流動パラフィン、スクワレン、オリーブ油など）、美白成分（ビタミンＣ、プラセンタエキス等）等の美肌，整肌成分、グリチルリチン酸塩等の消炎成分、色素、顔料、殺菌剤などを含有していてもよい。
【００４５】
(ii)の形態で用いられる支持体としては、上記のゲル状組成物が担持・含浸できるものであって、該ゲル状組成物の放湿性を妨げないように適度な透湿性を有するものであれば特に制限されない。例えば、綿、麻、羊毛などの天然繊維、レーヨンなどのセルロース系繊維、ナイロン、アクリルなどの合成繊維などを素材とする織布や不織布、又はポリエチレン、ポリプロピレン等を素材とするフィルム等を使用することができる。
【００４６】
支持体の厚さも特に制限されず、使い勝手を考慮して適宜選択することができるなお、冷却剤を皮膚に適用する時に当該貼付部位の外形状になじむようにある程度の伸縮性を有するものが好ましい。
【００４７】
かかる冷却剤は、発熱時に額に適用されるだけでなく目元、脚部、足部の冷却、打撲や捻挫の際の応急的な冷却剤としても有用であり、ディスポーザブル的な使用が可能である。
【００４８】
上記形態を有する冷却剤は、ゲル状保冷性組成物と支持体とから基本的になるものであるが、ゲル状保冷性組成物表面に更に剥離シートが積層されてなるものであってもよい。当該剥離シートは冷却剤を使用する際に剥離除去されるものであるが、ゲル状組成物の乾燥を防止し、清潔な状態を保持し、さらに取扱性を向上させるために有用である。
【００４９】
当該冷却剤の製造方法としては、従来公知の方法が広く使用できるが、具体的には、例えば、まずネイティブジェランガム及び水の各構成成分を均一に撹拌し、十分に溶解した後に冷却して、保冷性組成物のゲル状物を得る。この場合液性成分の比率は、９５〜９９重量％となるようにするのが好ましい。
【００５０】
次いでこのゲル状物を、アプリケーターを使用して剥離シートの上に均一に展延塗布し、その上に支持体を重ねる。この場合、ゲル状組成物はそれ自体の粘着性によって支持体に定着するが、より一層強度に定着させるために該積層物をローラーによって加圧することもできる。
【００５１】
一方(iii)の形態を有する冷却剤としては、野菜、果物、飲料、デザート等の被保冷対象物を冷蔵、保冷する目的で使用される冷却剤、冷却（熱冷まし）、ひんやり感の付与又は火照りの抑制等を主目的に人体に適用される冷却剤等の用途が例示される。
【００５２】
当該冷却剤は、使用時に予め冷凍庫などで冷却して使用すると一層の冷却効果を得ることができ、また冷却効果が低下した場合には、再度冷凍することにより、再生使用も可能である。
【００５３】
【実施例】
以下、本発明の内容を以下の実施例を用いて具体的に説明するが、本発明はこれらに何ら限定されるものではない。
【００５４】
実施例１
水１９６ｇにネイティブジェランガム４ｇ（２％）を加え、８５℃に加熱しながら５分間撹拌して溶解させた後、直径８５ｍｍの容器に高さ１７ｍｍまで注入し室温で放置してゲル状保冷性組成物を調製して、冷却剤とした。
【００５５】
この冷却剤の中心部に温度計を差し込み、経時的に温度を計測して外気温と比較した。結果を図１に示すが、その結果から本発明の冷却剤は外気温よりも常に４〜６℃低温を維持することが分かった。
【００５６】
実施例２
水１５６ｇにネイティブジェランガム４ｇを加え、８５℃に加熱しながら５分間撹拌して溶解させた後、
Ａ：該溶解液１６０ｇにプロピレングリコール４０ｇを添加して撹拌し、
Ｂ：該溶解液１６０ｇにプロピレングリコールは添加せず、水４０ｇを添加して撹拌し、
それぞれを直径８５ｍｍの容器に高さ６ｍｍまで注入し、水平に静置したまま５０℃で６．５時間乾燥させ、乾燥したコンパクトサイズの冷却剤を調製した。
【００５７】
その結果、Ａは乾燥前重量の１９．４％に、Ｂは乾燥前重量の１．２％にそれぞれなり、直径はほとんど変化なく、高さがＡは１．１６ｍｍ、Ｂは０．０７ｍｍとコンパクトになった。Ａは柔軟性に富み、また保形性も良好で、そのままでも保冷効果を示した。Ｂは柔軟性はＡに比べ劣るものの、折り畳むことも可能であった。
【００５８】
次いでＡ、Ｂを水道水（２３℃）に浸して水戻りをみたところ、図２のように、４〜６分後には乾燥前重量にまで回復した。これらの水戻しした冷却剤は、乾燥処理を経ていないものと同様の効果を示した。
【００５９】
実施例３
水３１２ｇにネイティブジェランガム８ｇを加え、８５℃に加熱しながら５分間撹拌して溶解させた後、該溶解液３２０ｇにプロピレングリコール８０ｇを添加して撹拌したゲル状保冷性組成物を塩化ビニール製の袋に入れ、袋の口を融着させ、冷却剤を調製した。
【００６０】
該冷却剤をマイナス２０℃の冷凍庫で６時間冷凍後、これを１５０ｍｍ×２３０ｍｍ×１５０ｍｍの発泡スチロール製の箱に入れ、ふたをして２時間経過後、内部の温度を計測すると、８℃であった。
【００６１】
その後該冷却剤を取り出し、水道水中で解凍後、再び同様の条件で冷凍し、同様に２時間経過後の内部の温度を計測するという処理を、のべ２０日間にわたり１０回繰り返したが、冷却剤としての効果は全く変化がなく、袋からゲルを取り出して弾力性や触感等を、こうした処理を経ていないものと比較したが、何ら変化は認められなかった。
【００６２】
実施例４
水１５６ｇにネイティブジェランガム４ｇを加え、８５℃に加熱しながら５分間撹拌して溶解させた後、該溶解液１６０ｇにプロピレングリコール４０ｇ、ｌ−メントール０．０１ｇを添加して撹拌し、縦３０ｍｍ、横８０ｍｍの容器に高さ３ｍｍまで注入し５℃で２時間冷却して、シート状の冷却剤を調製した。
【００６３】
１０人のモニターに仰向けの状態で額に該冷却剤を載せて２時間横になってもらったところ、１０人とも、２時間後に該冷却剤をはがしてもゲルが額に残留することなく、使用中は涼しく気持ちよかったとの使用感であった。
【００６４】
また、皮膚がべとつくこともなく、かぶれ等も認められなかった。
【図面の簡単な説明】
【図１】本発明の冷却剤（実施例１）の温度と室温（外温度）とを経時的に比較した結果を示す図である。
【図２】ネイティブジェランガム及び水を含有する保冷性組成物、ネイティブジェランガム、水及びポリエチレングリコール（ＰＧ）を含有する保冷性組成物を乾燥処理して調製した各組成物を、再度水に浸漬すことによって経時的に乾燥処理前の状態への回復をみた図である。
【図１】
0004110330.tif 000002
【図２】
0004110330.tif 000003